(57)【要約】【課題】画像表示部の設置部での光環境状態にかかわらず、屋外の看者に画像を鮮明に見せることのできる表示システムを提供する。【解決手段】屋外Ｏに設置されて画像Ｇを表示する画像表示部１と、画像表示部１にて画像Ｇを表示するための画像信号Ｉｇを生成して画像表示部１に送信する画像信号生成部２と、画像信号生成部２にて生成された画像信号Ｉｇを補正する画像信号補正部３と、を備え、画像信号補正部３は、画像表示部１に表示される画像Ｇの輝度が画像表示部１の設置部Ｂの光環境状態Ｉｓに応じた輝度となるように画像信号Ｉｇを補正することを特徴とする。【選択図】図１
2019078833.tif 000002
【特許請求の範囲】
【請求項１】
屋外に設置されて画像を表示する画像表示部と、
前記画像表示部にて前記画像を表示するための画像信号を生成して前記画像表示部に送信する画像信号生成部と、
前記画像信号生成部にて生成された前記画像信号を補正する画像信号補正部と、を備え、
前記画像信号補正部は、前記画像表示部に表示される画像の輝度が前記画像表示部の設置部の光環境状態に応じた輝度となるように前記画像信号を補正することを特徴とする表示システム。
【請求項２】
前記光環境状態が、前記画像表示部の設置部にて計測される輝度又は照度、或いは、時刻であることを特徴とする請求項１記載の表示システム。
【請求項３】
前記画像表示部の設置部にて前記光環境状態としての輝度又は照度を計測する光計測部が備えられ、
前記光計測部には、入射光から特定の偏光を除去可能な偏光除去手段が備えられていることを特徴とする請求項１又は２記載の表示システム。
【請求項４】
前記画像表示部の設置部にて前記光環境状態としての輝度又は照度を計測する光計測部が備えられ、
前記光計測部は、第１計測情報と、第１計測情報よりも輝度又は照度が低く計測される第２計測情報とを取得可能であり、
前記画像信号補正部は、前記第１計測情報に応じて前記画像信号を補正する第１補正状態と、前記第２計測情報に応じて前記画像信号を補正する第２補正状態とを、切り替え可能に構成されていることを特徴とする請求項１〜３のいずれか１項に記載の表示システム。
【発明の詳細な説明】
【技術分野】
【０００１】
本発明は、屋外にて広告画像等の画像（映像を含む）を表示する表示システムに関する。
【背景技術】
【０００２】
この種の表示システムは、ＬＥＤビジョン等の画像表示部（例えば、特許文献１参照）を備えている。そして、このような画像表示部を駅舎等の建物の屋上等に設置し、広告画像等の所望の画像を表示するための画像信号を再生装置等の画像信号生成部から画像表示部に送信することで、画像表示部に所望の画像を表示させるように構成されている。よって、屋外を通行する通行人等の屋外の看者に対して所望の画像を見せることができる。
【先行技術文献】
【特許文献】
【０００３】
【特許文献１】特開２０１６−１４２８６１号公報
【発明の概要】
【発明が解決しようとする課題】
【０００４】
屋外に画像表示部を設置して屋外で画像を表示する場合、画像表示部の設置部での光環境状態（設置部の明るさやそれとの相関を有する時刻等）によって画像の見え方が大きく異なってしまう。例えば、太陽光が画像表示部に差し込んでいる場合のように画像表示部の設置部が非常に明るい場合には、そのような光環境状態との関係で画像が薄く弱く見えることになり、屋外の看者に画像を鮮明に見せることはできない。また、これとは逆に、太陽光が画像表示部に差し込んでいない場合のように画像表示部の設置部が比較的暗い場合には、そのような光環境状態との関係で画像が濃く強く見えることになり、やはり屋外の看者に画像を鮮明に見せることはできない。
【０００５】
この実情に鑑み、本発明の主たる課題は、画像表示部の設置部での光環境状態にかかわらず、屋外の看者に画像を鮮明に見せることのできる表示システムを提供する点にある。
【課題を解決するための手段】
【０００６】
本発明の第１特徴構成は、屋外に設置されて画像を表示する画像表示部と、
前記画像表示部にて前記画像を表示するための画像信号を生成して前記画像表示部に送信する画像信号生成部と、
前記画像信号生成部にて生成された前記画像信号を補正する画像信号補正部と、を備え、
前記画像信号補正部は、前記画像表示部に表示される画像の輝度が前記画像表示部の設置部の光環境状態に応じた輝度となるように前記画像信号を補正することを特徴とする点にある。
【０００７】
本構成によれば、画像信号生成部にて生成された画像信号を画像信号補正部にて補正することで、補正後の画像信号に基づいて画像表示部にて画像を表示することができる。そして、画像信号補正部は、画像表示部に表示される画像の輝度が画像表示部の設置部の光環境状態に応じた輝度となるように画像信号を補正するので、画像表示部の設置部の光環境状態の下で鮮明に見える輝度の画像を画像表示部にて表示することができる。よって、画像表示部の設置部の光環境状態にかかわらず、屋外の看者に画像を鮮明に見せることができる。
【０００８】
本発明の第２特徴構成は、前記光環境状態が、前記画像表示部の設置部にて計測される輝度又は照度、或いは、時刻であることを特徴とする点にある。
【０００９】
本構成によれば、光環境状態が、画像表示部の設置部にて計測される輝度又は照度、或いは、時刻（輝度又は照度と相関を有する時刻）であるので、画像信号補正部にて画像信号を補正するための指標となる光環境状態を簡単に取得することができる。
【００１０】
本発明の第３特徴構成は、前記画像表示部の設置部にて前記光環境状態としての輝度又は照度を計測する光計測部が備えられ、
前記光計測部には、入射光から特定の偏光を除去可能な偏光除去手段が備えられていることを特徴とする点にある。
【００１１】
本構成によれば、画像表示部の設置部に備えられた光計測部により、光環境状態としての輝度又は照度を計測することができる。しかも、光計測部には、入射光から特定の偏光を除去可能な偏光除去手段が備えられているので、例えば、特に強い反射光等を偏光除去手段で除去し、そのような反射光の影響を除外した状態で光環境状態としての輝度又は照度を計測することができる。よって、画像信号補正部において、画像表示部に表示される画像の輝度が、特に強い反射光の影響等を除外した光環境状態に応じた輝度となるように画像信号を補正することができる。
【００１２】
本発明の第４特徴構成は、前記画像表示部の設置部にて前記光環境状態としての輝度又は照度を計測する光計測部が備えられ、
前記光計測部は、第１計測情報と、前記第１計測情報よりも輝度又は照度が低く計測される第２計測情報とを取得可能であり、
前記画像信号補正部は、前記第１計測情報に応じて前記画像信号を補正する第１補正状態と、前記第２計測情報に応じて前記画像信号を補正する第２補正状態とを、切り替え可能に構成されていることを特徴とする点にある。
【００１３】
本構成によれば、第１計測情報に応じて画像信号を補正する第１補正状態と、第２計測情報に応じて前記画像信号を補正する第２補正状態とを適切に切り替えることで、画像信号の補正内容に差のある第１補正状態と第２補正状態とをうまく活用し、画像表示部に表示される画像の輝度が設置部の光環境状態に応じた輝度となるように画像信号を適切に補正することができる。
【００１４】
例えば、光計測部に前述した偏光除去手段を備えさせる場合であれば、偏光除去手段にて特に強い反射光を除外しない状態で計測される輝度又は照度を第１計測値として取得し、偏光除去手段にて特に強い反射光を除外する状態で計測される輝度又は照度を第２計測値として取得することができる。また、前記画像信号補正部は、第１補正状態と第２補正状態を時刻に応じて自動的に切り替えるように構成することができる。
【００１５】
その場合、朝夕などは、画像表示部の設置部での光環境状態としての輝度又は照度が低くなり勝ちで、画像表示部に表示される画像の輝度が低くなるように画像信号補正部にて画像信号を補正する場合が多い。そのため、このような朝夕の時間帯などは、画像信号補正部を、輝度又は照度が相対的に低く計測される第２計測値に応じて画像信号を補正する第２補正状態に切り替えることで、画像表示部に表示される画像の輝度が低くなり勝ちになるように画像信号補正部にて画像信号を補正することができる。
よって、朝夕の時間帯などの画像表示部の設置部が比較的暗い場合に、画像が実際よりも濃く強く見えるのを一層確実に回避することができる。
【図面の簡単な説明】
【００１６】
【図１】表示システムの第１実施形態を示す構成図
【図２】表示システムの第２実施形態を示す構成図
【発明を実施するための形態】
【００１７】
本発明に係る表示システムの実施形態を図面に基づいて説明する。
〔第１実施形態〕
この表示システムは、図１に示すように、屋外Ｏに設置されて画像Ｇを表示する屋外ディスプレイ１（画像表示部の一例）と、屋外ディスプレイ１にて画像Ｇを表示するための画像信号Ｉｇを生成して屋外ディスプレイ１に送信する画像処理装置２（画像信号生成部の一例）と、が備えられている。屋外ディスプレイ１は、画像処理装置２から出力されて入力される画像信号Ｉｇに基づいて表示面１Ａに画像Ｇを表示する。
【００１８】
また、この表示システムには、画像処理装置２にて生成された画像信号Ｉｇを、屋外ディスプレイ１に表示される画像Ｇの輝度が屋外ディスプレイ１の設置部Ｂの光環境状態に応じた輝度となるように補正する画像信号補正装置３（画像信号補正部の一例）と、前記光環境状態として屋外ディスプレイ１の設置部Ｂでの輝度又は照度の計測情報Ｉｓを計測する光計測装置４（光計測部の一例）と、が備えられている。
表示システムＳは、屋外ディスプレイ１に表示される画像Ｇの輝度が光計測装置４にて計測した輝度又は照度に応じた輝度となるように画像信号補正装置３にて画像信号Ｉｇを補正することで、屋外Ｏの看者に対して鮮明な画像Ｇを見せることができる。
なお、屋外ディスプレイ１の設置部Ｂでの光環境状態は、設置部Ｂにおける輝度又は照度に限らず、設置部Ｂの明るさと相関を有する時刻等であってもよい。
以下、各部の具体的構成について説明を加える。
【００１９】
屋外ディスプレイ１は、画像信号Ｉｇを受信する入力端子等の受信部（入力部）、多数の発光ダイオード（ＬＥＤ）をマトリクス状に配置する等により画像Ｇ（映像を含む）を表示可能な表示面１Ａ、多数の発光ダイオード等の発光状態を制御する制御部等を備えたＬＥＤビジョン等から構成されている。屋外ディスプレイ１は、画像信号Ｉｇに基づいて制御部が多数の発光ダイオード等の発光状態を制御することで、画像信号Ｉｇに対応する画像Ｇを表示面１Ａ表示することができる。
なお、屋外ディスプレイ１としては、ＬＥＤビジョンの他、液晶ディスプレイなどの屋外で画像Ｇを表示可能な各種の表示装置を採用することができる。
【００２０】
画像処理装置２は、例えば、演算部や記憶部、送受信部（入出力部）、モニタ等を備え、記憶部や記憶媒体から読み出した画像情報等から屋外ディスプレイ１にて画像Ｇを表示するための画像信号Ｉｇを生成して屋外ディスプレイ１に送信可能に構成されている。本実施形態では、画像処理装置２は、例えば、パーソナルコンピュータから構成され、画像情報等から画像信号Ｉｇを生成し、その画像信号ＩｇをケーブルＣ１、Ｃ２を介して屋外ディスプレイ１に送信するように構成されている。
【００２１】
画像信号補正装置３は、演算部や記憶部、送受信部（入出力部）等を備え、画像処理装置２から送信された画像信号Ｉｇを補正可能に構成されている。この画像信号補正装置３は、例えば、パーソナルコンピュータ等にて構成することもできるが、図示の例では、モニタ等を備えない小型の装置として構成されている。画像信号補正装置３は、ケーブルＣ３を介して光計測装置４から輝度又は照度の計測情報Ｉｓを随時受信するとともに、ケーブルＣ１を介して画像処理装置２から画像信号Ｉｇを随時受信し、輝度又は照度の計測情報Ｉｓに応じて画像信号Ｉｇを複数段階又は多段階で補正した上で、ケーブルＣ２を介して屋外ディスプレイ１に随時送信するように構成されている。
【００２２】
この画像信号補正装置３は、前述したように、屋外ディスプレイ１に表示される画像Ｇの輝度が屋外ディスプレイ１の設置部Ｂの光環境状態に応じた輝度となるように画像信号Ｉｇを補正する。そのため、屋外ディスプレイ１の設置部Ｂの光環境状態の下で鮮明に見える輝度の画像Ｇを屋外ディスプレイ１にて表示することができる。
【００２３】
具体的には、画像信号補正装置３は、記憶部に記憶されたテーブルやマップ等の関係式に基づき、光計測装置４にて計測される設置部Ｂでの輝度又は照度が高いほど画像Ｇの輝度が高くなり、光計測装置４にて計測される設置部Ｂでの輝度又は照度が低いほど画像Ｇの輝度が低くなるように画像信号Ｉｇを補正する。
【００２４】
つまり、画像信号補正装置３は、設置部Ｂの輝度又は照度が高くて屋外ディスプレイ１の周囲が非常に明るい場合には、そのような光環境との関係で画像Ｇが実際よりも薄く弱く見えることに対応し、画像Ｇの輝度が高くなるように画像信号Ｉｇを補正する。
また、これとは逆に、設置部Ｂの輝度又は照度が低くて屋外ディスプレイ１の周囲が比較的暗い場合には、そのような光環境との関係で画像Ｇが実際よりも濃く強く見えることに対応し、画像Ｇの輝度が低くなるように画像信号Ｉｇを補正する。
よって、この表示システムでは、屋外ディスプレイ１の設置部Ｂの光環境状態にかかわらず、屋外の看者に画像Ｇを鮮明に見せることができる。
【００２５】
光計測装置４は、輝度又は照度の計測情報Ｉｓを計測可能な光センサ４Ａにて構成されている。この光センサ４Ａは、公知の照度計や輝度計と同じように、センサ本体４ａの外表面に露出する状態で受光部４ｂが備えられており、受光部４ｂに入射する入射光から輝度又は照度を計測するように構成されている。光センサ４Ａは、受光部４ｂの受光面が屋外ディスプレイ１の表示面１Ａと同一又は略同一の姿勢となる状態で設置されており、屋外ディスプレイ１と表示面１Ａと同様の条件で輝度又は照度を計測するようになっている。
【００２６】
光センサ４Ａには、反射光等の特定の偏光を除去可能なＰＬフィルター等の円盤状の偏光フィルター４ｃ（偏光除去手段の一例）が、受光部４ｂの外部を覆う状態で備えられている。偏光フィルター４ｃは、それの中心軸回りで回転させることにより、偏光面の向きを変更して除去対象とする特定の偏光を変更可能に構成されている。そのため、偏光フィルター４ｃは、センサ本体４ａに対してネジ接合等により中心軸回りで回転自在に装着されている。
【００２７】
そして、この表示システムでは、屋外ディスプレイ１の設置部Ｂに光計測装置４を設置する際に、偏光フィルター４ｃの偏光面の向きを設置部Ｂの周囲環境に応じて調整することで、光センサ４Ａの受光部４ｂへの特定の方向からの反射光を適切に除去するように調整されている。そのため、画像信号補正装置３での画像信号Ｉｇの補正に悪影響を与える特定の反射光の影響を除外した状態で輝度又は照度を適切に計測することができ、その計測情報Ｉｓに基づき、画像信号補正装置３にて画像信号Ｉｇを適切に補
正することができる。
【００２８】
〔第２実施形態〕
この第２実施形態では、光計測装置４が、二つ（複数の一例）の光センサ４Ｂ，４Ｄを備えて構成されており、一方の光センサ４Ｂにて計測される計測情報と、他方の光センサ４Ｄにて計測される計測情報とを取得可能に構成されている。
【００２９】
一方の光センサ４Ｂは、輝度又は照度が後述する第２計測情報Ｉｓ２よりも高く計測される第１計測情報Ｉｓ１を計測するように構成されている。他方の光センサ４Ｄは、輝度又は照度が第１計測情報Ｉｓ１よりも低く計測される第２計測情報Ｉｓ２を計測するように構成されている。
【００３０】
本実施形態では、光センサ４Ｂ，４Ｄが、前述の第１実施形態で説明した光センサ４Ａと同じ構造となっており、センサ本体４ａに対して偏光フィルター４ｃをその中心軸回りで回転自在に装着して構成されている。
そして、一方の光センサ４Ｂは、光量の大きな特定の反射光を除去しない状態に偏光フィルター４ｃの偏光面の向きを調整することで、輝度又は照度が相対的に高く計測される第１計測情報Ｉｓ１を計測し、ケーブルＣ３を介してその第１計測情報Ｉｓ１を画像信号補正装置３に送信するようになっている。他方の光センサ４Ｄは、光量の大きな特定の反射光を除去する状態に偏光フィルター４ｃの偏光面の向きを調整することで、輝度又は照度が相対的に低く計測される第２計測情報Ｉｓ２を計測し、ケーブルＣ４を介してその第２計測情報Ｉｓ２を画像信号補正装置３に送信するようになっている。
【００３１】
そして、画像信号補正装置３は、第１計測情報Ｉｓ１に応じて画像信号Ｉｇを補正する第１補正状態と、第２計測情報Ｉｓ２に応じて画像信号Ｉｇを補正する第２補正状態とを切り替え可能に構成されている。本実施形態では、画像信号補正装置３は、第１補正状態と第２補正状態とを、例えば、時刻に応じて自動的に切り替えるように構成されている。なお、画像信号補正装置３は、内部に保持する時刻情報から時刻を特定するように構成されていてもよいし、外部から時刻情報を受信して時刻を特定するように構成されていてもよい。
【００３２】
一例を挙げると、画像信号補正装置３は、例えば午前７時〜午後１７時までなどの設置部Ｂでの光環境状態としての輝度又は照度が高くなり勝ちで、屋外ディスプレイ１に表示される画像Ｇの輝度が高くなるように画像信号補正部にて画像を補正する場合が多い時刻であれば、輝度又は照度が相対的に高く計測される第１計測情報Ｉｓ１に応じて画像信号Ｉｇを補正する第１補正状態に切り替える。このようにすることで、屋外ディスプレイ１に表示される画像Ｇの輝度が高くなり勝ちになるように画像信号補正装置３にて画像信号Ｉｇを補正することができる。
【００３３】
また、画像信号補正装置３は、例えば午後１７時〜午前７時までなどの設置部Ｂでの光環境状態としての輝度又は照度が低くなり勝ちで、屋外ディスプレイ１に表示される画像Ｇの輝度が低くなるように画像信号補正装置３にて画像信号Ｉｇを補正する場合が多い時刻である場合、輝度又は照度が相対的に低く計測される第２計測情報Ｉｓ２に応じて画像信号Ｉｇを補正する第２補正状態に切り替える。このようにすることで、設置部Ｂの光環境状態としての輝度又は照度が低くなり勝ちである場合には、屋外ディスプレイ１に表示される画像Ｇの輝度が低くなり勝ちになるように画像信号補正装置３にて画像信号Ｉｇを補正することができる。
【００３４】
〔別実施形態〕
（１）前述の各実施形態では、画像処理装置２が、パーソナルコンピュータにて構成されている場合を例に示したが、例えば、主として、記憶媒体等から画像情報を読み出して画像信号Ｉｇを生成する画像信号生成部（再生部）と、画像信号Ｉｇを送信する送信部とを備えたプレイヤー等の画像再生機器にて構成されていてもよい。
【００３５】
（２）前述の各実施形態では、画像信号生成部（画像処理装置２）と画像信号補正部（画像信号補正装置３）とが別々の装置として構成されている場合を例に示したが、例えば、パーソナルコンピュータ等からなる単一の画像処理装置に、画像信号Ｉｇを生成する画像信号生成部（再生部）、画像信号Ｉｇを補正する画像信号補正部、屋外ディスプレイ１及び光計測装置４との間で信号の送受信を行う送受信部等を備えさせ、単一の装置として構成されていてもよい。
この場合、画像処理装置は、画像信号生成部にて画像信号Ｉｇを生成するとともに、送受信部にて光計測装置４からの輝度又は照度の計測情報Ｉｓを随時受信している。そして、画像処理装置は、その計測情報Ｉｓに応じ、屋外ディスプレイ１に表示される画像Ｇの輝度が屋外ディスプレイ１の設置部Ｂの光環境状態に応じた輝度となるように、画像信号補正部にて画像信号Ｉｇを補正し、補正後の画像信号Ｉｇを送受信部２ｅにて屋外ディスプレイ１に随時送信している。そのため、屋外ディスプレイ１の設置部Ｂの光環境状態の下で鮮明に見える輝度の画像Ｇを屋外ディスプレイ１にて表示することができる。
【００３６】
（３）前述の実施形態では、画像信号補正部（画像信号補正装置３）が、画像信号Ｉｇの輝度のみを補正する場合を例に示したが、輝度に加えて、彩度や明度やコントラスト等の色調等を補正するように構成されていてもよい。
【００３７】
（４）前述の第２実施形態では、光計測装置４は、複数の光センサ４Ｂ，４Ｄにより第１計測情報Ｉｓ１と第２計測情報Ｉｓ２とを取得するように構成されていたが、複数の測定感度や測定能により輝度又は照度を測定可能な単一の光センサにより第１計測情報Ｉｓ１と第２計測情報Ｉｓ２とを取得するように構成されていてもよい。
【００３８】
（５）前述の第２実施形態では、光計測装置４は、性能を同一にする複数の光センサ４Ｂ，４Ｄにて構成されている場合を例に示したが、測定感度や測定能等の性能を異にする複数の光センサにて構成されていてもよい。
【００３９】
（６）前述の第２実施形態では、画像信号補正装置３が、第１計測情報Ｉｓ１に応じて画像信号Ｉｇを補正する第１補正状態と、第２計測情報Ｉｓ２に応じて画像信号Ｉｇを補正する第２補正状態とを、時刻に応じて自動的に切り替える場合を例に示したが、太陽の位置や輝度又は照度の区分など、時刻以外の指標に応じて自動的に切り替えるように構成してもよく、場合によっては手動で切り替えるように構成してもよい。また、第１補正状態と第２補正状態との切替基準となる第１計測情報Ｉｓ１と第２計測情報Ｉｓ２との切替判断を、画像信号補正装置３とは別体の切替装置にて実施するように構成してもよい。
【符号の説明】
【００４０】
１        屋外ディスプレイ（画像表示部）
２        画像処理装置（画像信号生成部）
３        画像信号補正装置（画像信号補正部）
４        光計測装置（光計測部）
４ｃ      偏光フィルター（偏光除去手段）
Ｂ        設置部
Ｇ        画像
Ｉｇ      画像信号
Ｉｓ      計測情報（光環境状態）
Ｉｓ１    第１計測情報
Ｉｓ２    第２計測情報
【図１】
2019078833.tif 000003
【図２】
2019078833.tif 000004